(57)【要約】      （修正有）【課題】定着ベルトの皺の発生を抑えて、定着ベルトの損傷を防止すると共に、画像ズレを防止した定着装置を提供する。【解決手段】間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有する定着装置において、（イ）前記定着ベルト４が、その裏面側画像領域外の両側に、その中央側から外側に向かって斜め方向に多数の溝を設けたガイド部４Ａを有し、そして、（ロ）前記定着ローラ２が、その両端側に、前記定着ベルト４の裏面側画像領域外の両側に設けたガイド部４Ａの多数の溝と噛み合うように設けた、多数の溝２ａを有しているものとする。【選択図】図１
2007248897.tif 000002
【特許請求の範囲】
【請求項１】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その裏面側画像領域外の両側に、その中央側から外側に向かって斜め方向に多数の溝を設けたガイド部を有し、そして、
（ロ）前記定着ローラが、その両端側に、前記定着ベルトの裏面側画像領域外の両側に設けたガイド部の多数の溝と噛み合うように設けた、多数の溝を有している
ことを特徴とする定着装置。
【請求項２】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その裏面側画像領域外の両側に、その中央側から外側に向かって斜め方向に多数の溝を設けたガイド部を有し、
（ロ）前記定着ベルトの裏側にこれと交差する方向に当接するように、バックアップローラが設けられ、そして、
（ハ）前記バックアップローラが、その両端側に、前記定着ベルトの裏面側画像領域外の両側に設けたガイド部の多数の溝と噛み合うように設けた、多数の溝を有している
ことを特徴とする定着装置。
【請求項３】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その裏面側画像領域外の両側に、その中央側から外側に向かって斜め方向に多数の溝を設けたガイド部を有し、
（ロ）前記定着ローラが、その両端側に、前記定着ベルトの裏面側画像領域外の両側に設けたガイド部の多数の溝と噛み合うように設けた、多数の溝を有し、
（ハ）前記定着ベルトの裏側にこれと交差する方向に当接するように、バックアップローラが設けられ、そして、
（ニ）前記バックアップローラが、その両端側に、前記定着ベルトの裏面側画像領域外の両側に設けたガイド部の多数の溝と噛み合うように設けた、多数の溝を有している
ことを特徴とする定着装置。
【請求項４】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その表面側画像領域外の両側に、その中央側から外側に向かって斜め方向に多数の溝を設けたガイド部を有し、
（ロ）前記加圧ローラが、その両端側に、前記定着ベルトの表面側画像領域外の両側に設けたガイド部の多数の溝と噛み合うように設けた、多数の溝を有している
ことを特徴とする定着装置。
【請求項５】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その表面側画像領域外の両側に、その中央側から外側に向かって斜め方向に多数の溝を設けたガイド部を有し、
（ロ）前記定着ベルトの表側にこれと交差する方向に当接するように、ベルト寄せガイドローラが設けられ、そして、
（ニ）前記ベルト寄せガイドローラが、その両端側に、前記定着ベルトの表面側画像領域外の両側に設けたガイド部の多数の溝と噛み合うように設けた、多数の溝を有している
ことを特徴とする定着装置。
【請求項６】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その表面側画像領域外の両側に、その中央側から外側に向かって斜め方向に多数の溝を設けたガイド部を有し、
（ロ）前記加圧ローラが、その両端側に、前記定着ベルトの表面側画像領域外の両側に設けたガイド部の多数の溝と噛み合うように設けた、多数の溝を有し、
（ハ）前記定着ベルトの表側にこれと交差する方向に当接するように、ベルト寄せガイドローラが設けられ、そして、
（ニ）前記ベルト寄せガイドローラが、その両端側に、前記定着ベルトの表面側画像領域外の両側に設けたガイド部の多数の溝と噛み合うように設けた、多数の溝を有している
ことを特徴とする定着装置。
【請求項７】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、前記定着ベルトの表側及び裏側の両面に当接し且つ挟むように設けた一対のプレスローラを有していることを特徴とする定着装置。
【請求項８】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、前記定着ベルトの裏側にこれと交差する方向に設けられた定着ベルト吸着エア吸引ガイドを有していることを特徴とする定着装置。
【請求項９】
間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、（イ）前記定着ベルトが、その裏面側画像領域外の両側に、その中央側から外側に向かって斜め方向に多数の溝を設けたガイド部を有し、そして、（ロ）前記定着ベルトの裏側にこれと交差する方向で当接するように設けられた定着ベルト吸着マグネットを有していることを特徴とする定着装置。
【請求項１０】
前記定着ベルトの裏側にこれと交差する方向に設けられたテンションローラを有していることを特徴とする請求項１〜９のいずれか１項に記載の定着装置。
【請求項１１】
前記加圧ローラの内部に加圧ヒータを有していることを特徴とする請求項１〜１０のいずれか１項に記載の定着装置。
【請求項１２】
請求項１〜１１のいずれか１項に記載された定着装置を有することを特徴とする画像形成装置。
【発明の詳細な説明】
【技術分野】
【０００１】
本発明は、ＰＰＣ、ＬＢＰ、ファクシミリなどの電子写真方式を採用した画像形成装置における転写紙上の未定着トナー像を加熱、加圧することにより定着させる定着装置に関する。
【背景技術】
【０００２】
従来、電子写真方式の画像形成装置（特許文献１を参照。）が提案されている。図１０は、従来の定着ローラを用いた電子写真方式の画像形成装置の説明図である。従来の電子写真方式の画像形成装置１００、例えば、複写機及びレーザプリンタは、静電潜像が形成される感光体ドラム１０１、感光体ドラム１０１に接触して帯電処理を行う帯電ローラ１０２、レーザビーム等の露光手段１０３、感光体ドラム１０１の静電潜像にトナーを付着させる現像ローラ１０４、帯電ローラ１０２にＤＣ電圧を印加するためのパワーパック１０５、感光体ドラム１０１上のトナー像を記録紙１０７に転写処理する転写ローラ１０６、転写処理後の感光体ドラム１０１をクリーニングするためのクリーニング装置１０８、感光体ドラム１０１の表面電位を測定する表面電位計１０９、並びに、定着ローラ１１１及び加圧ローラ１１２からなるローラ方式の熱定着装置１１０によって構成されている。
【０００３】
この電子写真方式を用いる画像形成装置１１０は、回転する感光体ドラム１０１の感光体層を帯電ローラ１０２を用いて一様に帯電させた後にレーザビーム等の露光手段１０３で露光して静電潜像を形成し、この静電潜像をトナーによって現像することによりトナー像とし、このトナー像を記録紙１０７上に転写し、そして、この記録紙１０７を定着ローラ１１１及び加圧ローラ１１２からなるローラ方式の熱定着装置１１０に通過させてトナー像を熱定着するように構成されている。
【０００４】
このような熱定着装置１００おいては、例えば、アルミニウムなどの中空円筒体からなる芯金の外周面にトナーの粘着を防止する為のフッ素樹脂層などからなる粘着防止層を設けた加熱定着ローラ１１１が使用されるが、この様な加熱定着ローラ１１１は芯金の中空部に、回転中心線に沿ってハロゲンランプなどのヒータを配置し、その輻射熱によって加熱定着ローラ１１１を内側から加熱するようになっている。このような定着ローラ１１１は、離型性には優れているが、柔軟性及び弾力性には劣っているので、光沢を必要とするフルカラー複写機、フルカラーレーザープリンター等の画像形成装置に対応することができない。
【０００５】
従来、光沢画像を必要とするフルカラー複写機、レーザープリンター等の画像形成装置においては、赤（マゼンタ）、青（シアン）、黄（イエロー）、黒（ブラック）の４色のカラートナーが用いられているが、これらのカラートナーで構成されるカラー画像を定着する際には、これらのカラートナーを溶融状態で混合する必要があり、そのために、カラートナーを低融点化して溶融しやすくすると共に、複数種のカラートナーを、定着ローラ１１１の表面で包み込むようにして、溶融状態で均一に混合させることが必要になる。このために、定着用部材（ロール、ベルト）の表面に必要な特性の一つとして柔軟性が挙げられる。かかる定着用部材の表面に柔軟性を付与するフルカラー用の定着用部材としては、シリコーンゴム、フッ素ゴム等のゴム層（下地のゴムよりも、離型、耐久性を考慮したゴム材料を使用）を設けた構成の定着ローラがある。
【０００６】
熱ローラ定着法は、ヒートローラ全体を所定温度に保持することができること、熱容量が大きいこと等の利点があるために、プリント速度の高速化には適している。しかし、熱ローラ定着法は、ヒートローラを所定の温度まで加熱するのにかなりの時間が必要であるので、ヒートローラ全体を加熱するのに、電力消費も大きくなるという問題がある。近年、画像形成装置の分野においては、省エネルギー化への活動が活発になっており、その立ち上がり時間の短縮が検討されている。画像形成装置の立ち上がり時間の短縮の技術の一つとして、ヒーターにより熱せられたフィルム状のエンドレスベルトを介して、記録紙上のトナーを加熱するベルト定着方法が提案されている。この定着方法では、薄いフィルム状の定着用ベルトを直接加熱することになり、電源投入後、加熱部は短時間で所定の温度に達するので、電源投入後の待ち時間をかなり減らすことができる。また、必要部分のみを加熱するので、電力消費も少ない利点がある。
【０００７】
図１１は、従来の定着無端ベルトの使用状態を示す説明図である。図１１に示されているように、従来の画像形成装置においては、加熱ローラ１１５、これと相対して設けられた一対の平行な加圧ローラ１１６，１１６、並びに、加熱ローラ１１５に接すると共に一対の平行な加圧ローラ１１６，１１６により回転可能に設けられた定着無端ベルト１１４を有するベルト方式定着装置１１３が用いられている。従来、このような定着無端ベルト１１４の基体の上に離型性及び耐久性を考慮したシリコーンゴム、フッ素ゴム等のゴム材料を用いて弾性層を直接形成させるものが提案されている。
【０００８】
このように、従来の定着ローラ及び定着ベルトの表面は、シリコーンゴム、フッ素ゴム等の樹脂で形成された弾性層で構成されているので、柔軟性において優れているが、トナー離型性が不足しているために、トナーオフセット現象が発生しやすいという問題があった。また、これらの弾性層は、耐摩耗性が低いので、表面の摩耗、劣化が激しいという不具合があった。これらの不具合に対しては、シリコーン系の潤滑オイルを定着ローラ及び定着ベルトの表面に塗布する方法がある。しかしながら、このオイル塗布方式も初期的には効果が見られるが、十分ではなく、また、このオイルによりゴム材料の膨潤という新たな不具合が発生するという問題があった。さらに、このオイル塗布の為の機構（塗布量制御機構も含む）及びオイルの補充は、ユーザーメンテナンスの負荷、コスト高の不具合となるので、オイル不使用の定着用部材が待望されている。
【０００９】
最近では、ローラ及びベルト基体上にゴム弾性層を設け、その上にフッ素樹脂からなる離型層（粘着防止層）を形成させた定着部材（特許文献２を参照。）が提案されており、これらの定着部材によればトナー離型性を確保することが可能となる。ここで、ベルト方式の定着装置の場合、上記利点の反面として駆動安定性の課題が挙げられる。基本的には、一対のローラ（加熱ローラ、定着ローラ）にベルトが掛け渡されているが、特に高線速の場合は、経時で定着ベルトが斜行する現象が見られる。定着ベルトが斜行するとベルトが変形して画像の乱れが見られる。また、定着ベルトの斜行がひどくなると、定着ベルトの撓み（浮き上がり）が生じて、その撓み部分を定着ローラ及び加圧ローラで挟み込んでしまい、定着ベルトに皺が生じるという問題があった。このように、定着ベルトに皺が生じると、画像の乱れ(画像ズレ)及び記録紙の折れや詰まりが生じるという問題が生じる。また、定着ベルトの温度検出が正常に働かなくなり、最悪の場合には定着ベルトが破損する可能性もある。
【特許文献１】特開２００４−２７１７５１号公報
【特許文献２】特開２０００−２６７４８７号公報
【発明の開示】
【発明が解決しようとする課題】
【００１０】
本発明は、かかる問題を解決することを目的としている。
【００１１】
即ち、本発明は、定着ベルトの皺の発生を抑えて、定着ベルトの損傷を防止すると共に、画像ズレを防止した定着装置及びそれを有する画像形成装置を提供することを目的としている。
【課題を解決するための手段】
【００１２】
請求項１に記載された発明は、上記目的を達成するために、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その裏面側画像領域外の両側に、その中央側から外側に向かって斜め方向に多数の溝を設けたガイド部を有し、そして、
（ロ）前記定着ローラが、その両端側に、前記定着ベルトの裏面側画像領域外の両側に設けたガイド部の多数の溝と噛み合うように設けた、多数の溝を有している
ことを特徴とする定着装置である。
【００１３】
請求項２に記載された発明は、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その裏面側画像領域外の両側に、その中央側から外側に向かって斜め方向に多数の溝を設けたガイド部を有し、
（ロ）前記定着ベルトの裏側にこれと交差する方向に当接するように、バックアップローラが設けられ、そして、
（ハ）前記バックアップローラが、その両端側に、前記定着ベルトの裏面側画像領域外の両側に設けたガイド部の多数の溝と噛み合うように設けた、多数の溝を有している
ことを特徴とする定着装置である。
【００１４】
請求項３に記載された発明は、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その裏面側画像領域外の両側に、その中央側から外側に向かって斜め方向に多数の溝を設けたガイド部を有し、
（ロ）前記定着ローラが、その両端側に、前記定着ベルトの裏面側画像領域外の両側に設けたガイド部の多数の溝と噛み合うように設けた、多数の溝を有し、
（ハ）前記定着ベルトの裏側にこれと交差する方向に当接するように、バックアップローラが設けられ、そして、
（ニ）前記バックアップローラが、その両端側に、前記定着ベルトの裏面側画像領域外の両側に設けたガイド部の多数の溝と噛み合うように設けた、多数の溝を有している
ことを特徴とする定着装置である。
【００１５】
請求項４に記載された発明は、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その表面側画像領域外の両側に、その中央側から外側に向かって斜め方向に多数の溝を設けたガイド部を有し、
（ロ）前記加圧ローラが、その両端側に、前記定着ベルトの表面側画像領域外の両側に設けたガイド部の多数の溝と噛み合うように設けた、多数の溝を有している
ことを特徴とする定着装置である。
【００１６】
請求項５に記載された発明は、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その表面側画像領域外の両側に、その中央側から外側に向かって斜め方向に多数の溝を設けたガイド部を有し、
（ロ）前記定着ベルトの表側にこれと交差する方向に当接するように、ベルト寄せガイドローラが設けられ、そして、
（ニ）前記ベルト寄せガイドローラが、その両端側に、前記定着ベルトの表面側画像領域外の両側に設けたガイド部の多数の溝と噛み合うように設けた、多数の溝を有している
ことを特徴とする定着装置である。
【００１７】
請求項６に記載された発明は、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、
（イ）前記定着ベルトが、その表面側画像領域外の両側に、その中央側から外側に向かって斜め方向に多数の溝を設けたガイド部を有し、
（ロ）前記加圧ローラが、その両端側に、前記定着ベルトの表面側画像領域外の両側に設けたガイド部の多数の溝と噛み合うように設けた、多数の溝を有し、
（ハ）前記定着ベルトの表側にこれと交差する方向に当接するように、ベルト寄せガイドローラが設けられ、そして、
（ニ）前記ベルト寄せガイドローラが、その両端側に、前記定着ベルトの表面側画像領域外の両側に設けたガイド部の多数の溝と噛み合うように設けた、多数の溝を有している
ことを特徴とする定着装置である。
【００１８】
請求項７に記載された発明は、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、前記定着ベルトの表側及び裏側の両面に当接し且つ挟むように設けた一対のプレスローラを有していることを特徴とする定着装置である。
【００１９】
請求項８に記載された発明は、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、前記定着ベルトの裏側にこれと交差する方向に設けられた定着ベルト吸着エア吸引ガイドを有していることを特徴とする定着装置である。
【００２０】
請求項９に記載された発明は、間隔をあけて平行に設けられた一対の加熱ローラ及び定着ローラ、前記加熱ローラと前記定着ローラとによって回転可能に設けられた定着ベルト、並びに、前記定着ベルトを介して前記定着ローラに当接するように設けられた加圧ローラ、を有する定着装置において、（イ）前記定着ベルトが、その裏面側画像領域外の両側に、その中央側から外側に向かって斜め方向に多数の溝を設けたガイド部を有し、そして、（ロ）前記定着ベルトの裏側にこれと交差する方向で当接するように設けられた定着ベルト吸着マグネットを有していることを特徴とする定着装置である。
【００２１】
請求項１０に記載された発明は、請求項１〜９のいずれか１項に記載された発明において、前記定着ベルトの裏側にこれと交差する方向に設けられたテンションローラを有していることを特徴とするものである。
【００２２】
請求項１１に記載された発明は、請求項１〜１０のいずれか１項に記載された発明において、前記加圧ローラの内部に加圧ヒータを有していることを特徴とするものである。
【００２３】
請求項１２に記載された発明は、請求項１〜１１のいずれか１項に記載された定着装置を有することを特徴とする画像形成装置である。
【発明の効果】
【００２４】
請求項１に記載された発明によれば、（イ）前記定着ベルトが、その裏面側画像領域外の両側に、その中央側から外側に向かって斜め方向に多数の溝を設けたガイド部を有し、そして、（ロ）前記定着ローラが、その両端側に、前記定着ベルトの裏面側画像領域外の両側に設けたガイド部の多数の溝と噛み合うように設けた、多数の溝を有しているので、前記定着ベルトの裏面側画像領域外の両側に設けたガイド部に設けられた多数の溝と前記定着ローラの両端側に設けられた多数の溝とにより定着ベルトの両端を外側に引き寄せて定着ベルトの皺の発生（即ち、撓みの発生）を抑えることができ、そのために、定着ベルトの損傷を防止すると共に、画像ズレを防止した定着装置を提供することができる。
【００２５】
請求項２に記載された発明によれば、（イ）前記定着ベルトが、その裏面側画像領域外の両側に、その中央側から外側に向かって斜め方向に多数の溝を設けたガイド部を有し、（ロ）前記定着ベルトの裏側にこれと交差する方向に当接するように、バックアップローラが設けられ、そして、（ハ）前記バックアップローラが、その両端側に、前記定着ベルトの裏面側画像領域外の両側に設けたガイド部の多数の溝と噛み合うように設けた、多数の溝を有しているので、前記定着ベルトの裏面側画像領域外の両側に設けたガイド部に設けられた多数の溝と前記バックアップローラの両端側に設けられた多数の溝とにより定着ベルトの両端を外側に引き寄せて定着ベルトの皺の発生（即ち、撓みの発生）を抑えることができ、そのために、定着ベルトの損傷を防止すると共に、画像ズレを防止した定着装置を提供することができる。
【００２６】
請求項３に記載された発明によれば、（イ）前記定着ベルトが、その裏面側画像領域外の両側に、その中央側から外側に向かって斜め方向に多数の溝を設けたガイド部を有し、（ロ）前記定着ローラが、その両端側に、前記定着ベルトの裏面側画像領域外の両側に設けたガイド部の多数の溝と噛み合うように設けた、多数の溝を有し、（ハ）前記定着ベルトの裏側にこれと交差する方向に当接するように、バックアップローラが設けられ、そして、（ニ）前記バックアップローラが、その両端側に、前記定着ベルトの裏面側画像領域外の両側に設けたガイド部の多数の溝と噛み合うように設けた、多数の溝を有しているので、前記定着ベルトの裏面側画像領域外の両側に設けたガイド部に設けられた多数の溝と、前記定着ローラの両端側に設けられた多数の溝及び前記バックアップローラの両端側に設けられた多数の溝と、により定着ベルトの両端を外側に引き寄せて定着ベルトの皺の発生（即ち、撓みの発生）をいっそう抑えることができ、そのために、定着ベルトの損傷をいっそう防止すると共に、画像ズレをいっそう防止した定着装置を提供することができる。
【００２７】
請求項４に記載された発明によれば、（イ）前記定着ベルトが、その表面側画像領域外の両側に、その中央側から外側に向かって斜め方向に多数の溝を設けたガイド部を有し、（ロ）前記加圧ローラが、その両端側に、前記定着ベルトの表面側画像領域外の両側に設けたガイド部の多数の溝と噛み合うように設けた、多数の溝を有しているので、前記定着ベルトの表面側画像領域外の両側に設けたガイド部の多数の溝と前記加圧ローラの両端側に設けられた多数の溝とにより定着ベルトの両端を外側に引き寄せて定着ベルトの皺の発生（即ち、撓みの発生）を抑えることができ、そのために、定着ベルトの損傷を防止すると共に、画像ズレを防止した定着装置を提供することができる。
【００２８】
請求項５に記載された発明によれば、（イ）前記定着ベルトが、その表面側画像領域外の両側に、その中央側から外側に向かって斜め方向に多数の溝を設けたガイド部を有し、（ロ）前記定着ベルトの表側にこれと交差する方向に当接するように、ベルト寄せガイドローラが設けられ、そして、（ニ）前記ベルト寄せガイドローラが、その両端側に、前記定着ベルトの表面側画像領域外の両側に設けたガイド部の多数の溝と噛み合うように設けた、多数の溝を有しているので、前記定着ベルトの表面側画像領域外の両側に設けたガイド部の多数の溝と前記前記ベルト寄せガイドローラの両端側に設けられた多数の溝とにより定着ベルトの両端を外側に引き寄せて定着ベルトの皺の発生（即ち、撓みの発生）を抑えることができ、そのために、定着ベルトの損傷を防止すると共に、画像ズレを防止した定着装置を提供することができる。
【００２９】
請求項６に記載された発明によれば、（イ）前記定着ベルトが、その表面側画像領域外の両側に、その中央側から外側に向かって斜め方向に多数の溝を設けたガイド部を有し、（ロ）前記加圧ローラが、その両端側に、前記定着ベルトの表面側画像領域外の両側に設けたガイド部の多数の溝と噛み合うように設けた、多数の溝を有し、（ハ）前記定着ベルトの表側にこれと交差する方向に当接するように、ベルト寄せガイドローラが設けられ、そして、（ニ）前記ベルト寄せガイドローラが、その両端側に、前記定着ベルトの表面側画像領域外の両側に設けたガイド部の多数の溝と噛み合うように設けた、多数の溝を有しているので、前記定着ベルトの表面側画像領域外の両側に設けたガイド部の多数の溝と、前記加圧ローラの両端側に設けられた多数の溝及び前記前記ベルト寄せガイドローラの両端側に設けられた多数の溝と、により定着ベルトの両端を外側に引き寄せて定着ベルトの皺の発生（即ち、撓みの発生）をいっそう抑えることができ、そのために、定着ベルトの損傷をいっそう防止すると共に、画像ズレをいっそう防止した定着装置を提供することができる。
【００３０】
請求項７に記載された発明によれば、前記定着ベルトの表側及び裏側の両面に当接し且つ挟むように設けた一対のプレスローラを有しているので、定着ベルトの皺の発生（即ち、撓みの発生）を抑えて、定着ベルトの損傷を防止すると共に、画像ズレを防止した定着装置を提供することができる。
【００３１】
請求項８に記載された発明によれば、前記定着ベルトの裏側にこれと交差する方向に設けられた定着ベルト吸着エア吸引ガイドを有しているので、定着ベルトの皺の発生（即ち、撓みの発生）を抑えて、定着ベルトの損傷を防止すると共に、画像ズレを防止した定着装置を提供することができる。
【００３２】
請求項９に記載された発明によれば、（イ）前記定着ベルトが、その裏面側画像領域外の両側に、その中央側から外側に向かって斜め方向に多数の溝を設けたガイド部を有し、そして、（ロ）前記定着ベルトの裏側にこれと交差する方向で当接するように設けられた定着ベルト吸着マグネットを有しているので、定着ベルトの皺の発生（即ち、撓みの発生）を抑えて、定着ベルトの損傷を防止すると共に、画像ズレを防止した定着装置を提供することができる。
【００３３】
請求項１０に記載された発明によれば、前記定着ベルトの裏側にこれと交差する方向に設けられたテンションローラを有しているので、定着ベルトの皺の発生（即ち、撓みの発生）を抑えて、定着ベルトの損傷を防止すると共に、画像ズレを防止した定着装置を提供することができる。
【００３４】
請求項１１に記載された発明によれば、前記加圧ローラの内部に加圧ヒータを有しているので、転写されたトナー像の定着を速やかに行うことができる。
【００３５】
請求項１２に記載された発明によれば、請求項１〜１１のいずれか１項に記載された定着装置を有する画像形成装置とするので、画像ズレを防止して高画質を可能とする画像形成装置を提供することができる。
【発明を実施するための最良の形態】
【００３６】
次に、本発明の実施の形態を図面に基づいて説明する。
【００３７】
図１は、本発明の一実施の形態を示す定着装置であって、（ａ）は、その断面図であり、（ｂ）は、その平面図であり、そして、（ｃ）は、その要部説明図である。図２は、本発明の他の一実施の形態を示す定着装置であって、（ａ）は、その断面図であり、（ｂ）は、その平面図であり、そして、（ｃ）は、その要部説明図である。図３は、本発明の他の一実施の形態を示す定着装置であって、（ａ）は、その断面図であり、（ｂ）は、その平面図であり、そして、（ｃ）は、その要部説明図である。図４は、本発明の他の一実施の形態を示す定着装置であって、（ａ）は、その断面図であり、（ｂ）は、その平面図であり、そして、（ｃ）は、その要部説明図である。図５は、本発明の他の一実施の形態を示す定着装置であって、（ａ）は、その断面図であり、（ｂ）は、その平面図であり、そして、（ｃ）は、その要部説明図である。図６は、本発明の他の一実施の形態を示す定着装置であって、（ａ）は、その断面図であり、（ｂ）は、その平面図であり、そして、（ｃ）は、その要部説明図である。図７は、本発明の他の一実施の形態を示す定着装置であって、（ａ）は、その断面図であり、そして、（ｂ）は、その平面図である。図８は、本発明の他の一実施の形態を示す定着装置であって、（ａ）は、その断面図であり、（ｂ）は、その平面図であり、そして、（ｃ）は、その要部説明図である。図９は、本発明の他の一実施の形態を示す定着装置であって、（ａ）は、その断面図であり、（ｂ）は、その平面図であり、そして、（ｃ）は、その要部説明図である。
【００３８】
（実施の形態１）
図１に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、（イ）前記定着ベルト４は、その裏面側画像領域外の両側に、その中央側から外側に向かって斜め方向に多数の溝を設けたガイド部４Ａを有し、そして、（ロ）前記定着ローラ２は、その両端側に、前記定着ベルト４の裏面側画像領域外の両側に設けたガイド部４Ａの多数の溝と噛み合うように設けた、多数の溝２ａを有している。前記ガイド部４Ａは、好ましくは、定着ベルト４の裏面に接着剤で貼り付けられる。このように、（イ）前記定着ベルト４が、その裏面側画像領域外の両側に、その中央側から外側に向かって斜め方向に多数の溝を設けたガイド部４Ａを有し、そして、（ロ）前記定着ローラ２が、その両端側に、前記定着ベルト４の裏面側画像領域外の両側に設けたガイド部４Ａの多数の溝と噛み合うように設けた、多数の溝２ａを有していると、前記定着ベルト４の裏面側画像領域外の両側に設けたガイド部４Ａに設けられた多数の溝と前記定着ローラ２の両端側に設けられた多数の溝２ａとにより定着ベルト４の両端を外側に引き寄せて定着ベルト４の皺の発生（即ち、撓みの発生）（即ち、撓みの発生）を抑えることができ、そのために、定着ベルト４の損傷を防止すると共に、画像ズレを防止した定着装置を提供することができる。
【００３９】
（実施の形態２）
図２に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、（イ）前記定着ベルト４は、その裏面側画像領域外の両側に、その中央側から外側に向かって斜め方向に多数の溝を設けたガイド部４Ａを有し、（ロ）前記定着ベルト４の裏側にこれと交差する方向に当接するように、バックアップローラ１１が設けられ、そして、（ハ）前記バックアップローラ１１が、その両端側に、前記定着ベルト４の裏面側画像領域外の両側に設けたガイド部４Ａの多数の溝と噛み合うように設けた、多数の溝１１ａを有しているので、前記定着ベルト４の裏面側画像領域外の両側に設けたガイド部４Ａに設けられた多数の溝と前記バックアップローラ１１の両端側に設けられた多数の溝１１ａとにより定着ベルト４の両端を外側に引き寄せて定着ベルト４の皺の発生（即ち、撓みの発生）を抑えることができ、そのために、定着ベルト４の損傷を防止すると共に、画像ズレを防止した定着装置を提供することができる。
【００４０】
（実施の形態３）
図３に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、（イ）前記定着ベルト４は、その裏面側画像領域外の両側に、その中央側から外側に向かって斜め方向に多数の溝を設けたガイド部４Ａを有し、（ロ）前記定着ローラ２が、その両端側に、前記定着ベルト４の裏面側画像領域外の両側に設けたガイド部４Ａの多数の溝と噛み合うように設けた、多数の溝２ａを有し、（ハ）前記定着ベルト４の裏側にこれと交差する方向に当接するように、バックアップローラ１１が設けられ、そして、（ニ）前記バックアップローラ１１が、その両端側に、前記定着ベルト４の裏面側画像領域外の両側に設けたガイド部４Ａの多数の溝と噛み合うように設けた、多数の溝１１ａを有しているので、前記定着ベルト４の裏面側画像領域外の両側に設けたガイド部４Ａに設けられた多数の溝と、前記定着ローラ２の両端側に設けられた多数の溝２ａ及び前記バックアップローラ１１の両端側に設けられた多数の溝１１ａと、により定着ベルト４の両端を外側に引き寄せて定着ベルト４の皺の発生（即ち、撓みの発生）をいっそう抑えることができ、そのために、定着ベルト４の損傷をいっそう防止すると共に、画像ズレをいっそう防止した定着装置を提供することができる。
【００４１】
（実施の形態４）
図４に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、（イ）前記定着ベルト４が、その表面側画像領域外の両側に、その中央側から外側に向かって斜め方向に多数の溝４ｂを設けたガイド部４Ｂを有し、（ロ）前記加圧ローラ５が、その両端側に、前記定着ベルト４の表面側画像領域外の両側に設けたガイド部４Ｂの多数の溝４ｂと噛み合うように設けた、多数の溝５ａを有しているので、前記定着ベルト４の表面側画像領域外の両側に設けたガイド部４Ｂの多数の溝４ｂと前記加圧ローラ５の両端側に設けられた多数の溝５ａとにより定着ベルト４の両端を外側に引き寄せて定着ベルト４の皺の発生（即ち、撓みの発生）を抑えることができ、そのために、定着ベルト４の損傷を防止すると共に、画像ズレを防止した定着装置を提供することができる。
【００４２】
（実施の形態５）
図５に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、（イ）前記定着ベルト４が、その表面側画像領域外の両側に、その中央側から外側に向かって斜め方向に多数の溝４ｂを設けたガイド部４Ｂを有し、（ロ）前記定着ベルト４の表側にこれと交差する方向に当接するように、ベルト寄せガイドローラ１２が設けられ、そして、（ニ）前記ベルト寄せガイドローラ１２が、その両端側に、前記定着ベルト４の表面側画像領域外の両側に設けたガイド部４Ｂの多数の溝４ｂと噛み合うように設けた、多数の溝１２ａを有しているので、前記定着ベルト４の表面側画像領域外の両側に設けたガイド部４Ｂの多数の溝４ｂと前記前記ベルト寄せガイドローラ１２の両端側に設けられた多数の溝１２ａとにより定着ベルト４の両端を外側に引き寄せて定着ベルト４の皺の発生（即ち、撓みの発生）を抑えることができ、そのために、定着ベルト４の損傷を防止すると共に、画像ズレを防止した定着装置を提供することができる。
【００４３】
（実施の形態６）
図６に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、（イ）前記定着ベルト４が、その表面側画像領域外の両側に、その中央側から外側に向かって斜め方向に多数の溝４ｂを設けたガイド部４Ｂを有し、（ロ）前記加圧ローラ５が、その両端側に、前記定着ベルト４の表面側画像領域外の両側に設けたガイド部４Ｂの多数の溝４ｂと噛み合うように設けた、多数の溝５ａを有し、（ハ）前記定着ベルト４の表側にこれと交差する方向に当接するように、ベルト寄せガイドローラが１２設けられ、そして、（ニ）前記ベルト寄せガイドローラ１２が、その両端側に、前記定着ベルト４の表面側画像領域外の両側に設けたガイド部４Ｂの多数の溝４ｂと噛み合うように設けた、多数の溝１２ａを有しているので、前記定着ベルト４の表面側画像領域外の両側に設けたガイド部４Ｂの多数の溝４ｂと、前記加圧ローラ５の両端側に設けられた多数の溝５ａ及び前記前記ベルト寄せガイドローラ１２の両端側に設けられた多数の溝１２ａと、により定着ベルト４の両端を外側に引き寄せて定着ベルト４の皺の発生（即ち、撓みの発生）をいっそう抑えることができ、そのために、定着ベルト４の損傷をいっそう防止すると共に、画像ズレをいっそう防止した定着装置を提供することができる。
【００４４】
（実施の形態７）
図７に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、本発明の定着装置は、前記定着ベルト４の表側及び裏側の両面に当接し且つ挟むように設けた一対のプレスローラ１３，１３を有している。このように、前記定着ベルト４の表側及び裏側の両面に当接し且つ挟むように設けた一対のプレスローラ１３，１３を有していると、定着ベルト４の皺の発生（即ち、撓みの発生）を抑えて、定着ベルト４の損傷を防止すると共に、画像ズレを防止した定着装置を提供することができる。
【００４５】
（実施の形態８）
図８に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、前記定着ベルト４の裏側にこれと交差する方向に設けられた定着ベルト吸着エア吸引ガイド１４を有している。このように、前記定着ベルト４の裏側にこれと交差する方向に設けられた定着ベルト吸着エア吸引ガイド１４を有していると、定着ベルト４の皺の発生（即ち、撓みの発生）を抑えて、定着ベルト４の損傷を防止すると共に、画像ズレを防止した定着装置を提供することができる。
【００４６】
（実施の形態９）
図９に示されているように、本発明の定着装置は、間隔をあけて平行に設けられた一対の加熱ローラ１及び定着ローラ２、前記加熱ローラ１と前記定着ローラ２とによって回転可能に設けられた定着ベルト４、並びに、前記定着ベルト４を介して前記定着ローラ２に当接するように設けられた加圧ローラ５、を有している。また、（イ）前記定着ベルト４が、その裏面側画像領域外の両側に、その中央側から外側に向かって斜め方向に多数の溝を設けたガイド部４Ａを有し、そして、（ロ）前記定着ベルト４の裏側にこれと交差する方向で当接するように設けられた定着ベルト吸着マグネット１５を有している。前記定着ベルト吸着マグネット１５は、棒状体とその両端に設けられたマグネット１５ａとで構成されている。このように、（イ）前記定着ベルト４が、その裏面側画像領域外の両側に、その中央側から外側に向かって斜め方向に多数の溝を設けたガイド部４Ａを有し、そして、（ロ）前記定着ベルト４の裏側にこれと交差する方向で当接するように設けられた定着ベルト吸着マグネット１５を有していると、定着ベルト４の皺の発生（即ち、撓みの発生）を抑えて、定着ベルト４の損傷を防止すると共に、画像ズレを防止した定着装置を提供することができる。
【００４７】
本発明の定着装置は、好ましくは、前記定着ベルト４の裏側にこれと交差する方向に設けられたテンションローラ３を有している。このように、前記定着ベルト４の裏側にこれと交差する方向に設けられたテンションローラ３を有していると、定着ベルト４の皺の発生（即ち、撓みの発生）を抑えて、定着ベルト４の損傷を防止すると共に、画像ズレを防止した定着装置を提供することができる。
【００４８】
本発明の定着装置は、好ましくは、前記加圧ローラ５の内部に加圧ヒータ７を有している。このように、前記加圧ローラ５の内部に加圧ヒータ７を有していると、転写されたトナー像の定着を速やかに行うことができる。
【００４９】
本発明の画像形成装置は、請求項１〜１１のいずれか１項に記載された定着装置を有している。このように、請求項１〜１１のいずれか１項に記載された定着装置を有する画像形成装置とすると、画像ズレを防止して高画質を可能とする画像形成装置を提供することができる。
【図面の簡単な説明】
【００５０】
【図１】本発明の一実施の形態を示す定着装置であって、（ａ）は、その断面図であり、（ｂ）は、その平面図であり、そして、（ｃ）は、その要部説明図である。
【図２】本発明の他の一実施の形態を示す定着装置であって、（ａ）は、その断面図であり、（ｂ）は、その平面図であり、そして、（ｃ）は、その要部説明図である。
【図３】本発明の他の一実施の形態を示す定着装置であって、（ａ）は、その断面図であり、（ｂ）は、その平面図であり、そして、（ｃ）は、その要部説明図である。
【図４】本発明の他の一実施の形態を示す定着装置であって、（ａ）は、その断面図であり、（ｂ）は、その平面図であり、そして、（ｃ）は、その要部説明図である。
【図５】本発明の他の一実施の形態を示す定着装置であって、（ａ）は、その断面図であり、（ｂ）は、その平面図であり、そして、（ｃ）は、その要部説明図である。
【図６】本発明の他の一実施の形態を示す定着装置であって、（ａ）は、その断面図であり、（ｂ）は、その平面図であり、そして、（ｃ）は、その要部説明図である。
【図７】本発明の他の一実施の形態を示す定着装置であって、（ａ）は、その断面図であり、そして、（ｂ）は、その平面図である。
【図８】本発明の他の一実施の形態を示す定着装置であって、（ａ）は、その断面図であり、（ｂ）は、その平面図であり、そして、（ｃ）は、その要部説明図である。
【図９】本発明の他の一実施の形態を示す定着装置であって、（ａ）は、その断面図であり、（ｂ）は、その平面図であり、そして、（ｃ）は、その要部説明図である。
【図１０】従来の定着ローラを用いた電子写真方式の画像形成装置の説明図である。
【図１１】従来の定着無端ベルトの使用状態を示す説明図である。
【符号の説明】
【００５１】
１  加熱ローラ
２  定着ローラ
２ａ  多数の溝
３  テンションローラ
４  定着ベルト
４Ａ  ガイド部
４Ｂ  ガイド部
４ｂ  多数の溝
５  加圧ローラ
５ａ  多数の溝
６  加熱ヒータ
７  加圧ヒータ
１１  バックアップローラ
１１ａ  多数の溝
１２  ベルト寄せガイドローラ
１２ａ  多数の溝
１３  プレスローラ
１４定着ベルト吸着エア吸引ガイド
１５  ベルト吸着マグネット
１５ａ  マグネット
【図１】
2007248897.tif 000003
【図２】
2007248897.tif 000004
【図３】
2007248897.tif 000005
【図４】
2007248897.tif 000006
【図５】
2007248897.tif 000007
【図６】
2007248897.tif 000008
【図７】
2007248897.tif 000009
【図８】
2007248897.tif 000010
【図９】
2007248897.tif 000011
【図１０】
2007248897.tif 000012
【図１１】
2007248897.tif 000013